(57)【要約】      （修正有）【課題】年配者や障害者が旅行をする際、宿泊先のお風呂等で体を支えるため、簡単に持ち運びが出来、出先の浴室等に簡単に取り付けることが可能な吸盤式握り手を提供する。【解決手段】浴室の壁や浴槽の内部に付ける握り手で、浴室の平面だけでなく曲面を持ったどの様な形状の浴槽でも着脱が簡単に出来るように吸盤の吸着力を使っている。たとえ浴槽のサイドが多少湾曲した浴槽でも取り付け可能にし、主吸盤だけでなくサイドに高さ調節が出来る吸盤付きの突起部を設けてあり、湾曲した浴槽にも握り手の両サイドが浴槽の面に密着する構造になっているため、吸盤の弱点である引きはがしの力にも対応できる構造を持っている。この握り手を必要に応じ浴室の壁面や浴槽内に取り付け入浴時の体を支える手すりとして使うことが可能になる。【選択図】図４
0003151772.tif 000002
【実用新案登録請求の範囲】
【請求項１】
浴室の壁面、浴槽内に簡単に取り付けのできる吸盤付き握り手で、握り手の片側からの引きはがしの力にも外れないように、主吸盤とは別に握り手の端側を壁面や曲面を持った浴槽面にも密着させることが出来る高さ調節機構の付いた突起部付き吸盤機構を持った握り手。
【考案の詳細な説明】
【技術分野】
【０００１】本考案は、浴室の壁面や浴槽の中に取り付け、入浴時等の際つかまって体を保持することが出来る吸盤式握り手に関する。
【背景技術】
【０００２】年配者や手や足に障害をお持ちの方は、入浴時等体を支える手すりが無いと浴槽に体を入れたりお風呂から出る際に不自由をきたす。自宅の浴室や浴槽には、手すりなどを完備させることが出来るため不自由をきたさないが、旅行など出かけた先のホテルなどでは必ずしもこれら手すりが完備されてはいないケースが大多数である。そのため旅行先ではお風呂に入らないという年配者や障害者も多数いる。
【考案の開示】
【考案が解決しようとする課題】
【０００３】ホテルや各種施設は、大多数健常者を対象として作られているため、年配の方や障害をお持ちの方は手すり一つ無いため入浴を断念するといったケースがある。年配者や障害をお持ちの方でも、自分自身で自宅などと同様の設備を簡易的に設置することが出来れば入浴などが不自由なく使用することが出来るはずである。
【課題を解決するための手段】
【０００４】浴槽をはじめ、浴室の壁面などにはタイルなどの平らな面があるので、この平らな面を利用して強力な吸盤で握り手を取り付けることにより簡易的に手すりとして利用することが可能になる。
【考案の効果】
【０００５】体を十分支えることが可能な吸盤式の握り手は、タイル面などに簡単に装着、脱着が出来るので旅行先などのホテルなど手すりの設備が無いお風呂などでも安心して入浴が可能になる。
【考案を実施するための最良の形態】
【実施例】
【０００６】以下添付図面に従って実施例を説明する。図面１は握り手全体のイメージ図で、図面２は握り手を横から見た図、図面３は握り手を上から見た図、図４は実際に浴槽に取り付け手で握ったイメージ図、図５は浴槽の壁面に２個取り付け、両手で握った時のイメージ図である。一般的に浴室の壁はタイル面などで平面であるので主吸盤と副吸盤の高さを同じにして握り手の吸盤部分を強く押し付け吸盤圧着レバーを回転させしっかり圧着させる。この時サイドの突起部の副吸盤部分も壁面にしっかり密着させる。浴槽の壁面に付けるときは、浴槽面の曲面に合わせサイドの突起部を回転させ曲面の高さに合わせ高さ調整をすることで握り手をしっかり固定させることが可能になる。サイドの突起部が固定されることにより仮に握り手の片方だけに力が加わり吸盤を片側から引き離す力が働いても容易に吸盤が取れることはない。
【図面の簡単な説明】
【０００７】
【図１】全体イメージ図
【図２】横から見た図
【図３】上から見た図
【図４】浴槽に取りつけ手で握ったイメージ図
【図５】浴槽に取り付け両手で握ったイメージ図
【符号の説明】
【０００８】１  吸盤機構付き本体
２  主吸盤
３  突起部
４  副吸盤
５  握り手部分
６  吸盤圧着レバー
７  浴室壁面
８  浴槽
Ａ  吸盤圧着レバー取り付け時の回転方向
【図１】
0003151772.tif 000003
【図２】
0003151772.tif 000004
【図３】
0003151772.tif 000005
【図４】
0003151772.tif 000006
【図５】
0003151772.tif 000007
【手続補正書】
【提出日】平成21年3月23日(2009.3.23)
【手続補正１】
【補正対象書類名】実用新案登録請求の範囲
【補正対象項目名】全文
【補正方法】変更
【補正の内容】
【実用新案登録請求の範囲】
【請求項１】
浴室のタイル面や浴槽内の面に簡単に取り付けのできる握り手に関する考案で、棒状の握り手の両端に浴室のタイル面や浴槽内の面にあたるように吸盤機構を付け、なおかつ片側の吸盤はネジ込み式にし、取り付け面が平面でも曲面でもこの吸盤があたる位置の高さを調整できる吸盤機構を持った握り手。
【手続補正２】
【補正対象書類名】明細書
【補正対象項目名】全文
【補正方法】変更
【補正の内容】
【考案の詳細な説明】
【技術分野】
【０００１】本考案は、浴室の平らな壁面だけでなく卵型の曲面を持った浴槽の中にでも取り付け可能で、入浴時等の際つかまって体を保持することが出来る吸盤式握り手に関する。
【背景技術】
【０００２】年配者や手や足に障害をお持ちの方は、入浴時等体を支える手すりが無いと浴槽に体を入れたりお風呂から出る際に不自由をきたす。自宅の浴室や浴槽には、あらかじめ手すりなどを完備させることが出来るため不自由をきたさないが、旅行など出かけた先のホテルなどでは必ずしもこれら手すりが完備されていないケースが大多数である。そのため旅行先ではお風呂に入らないという年配者や障害者も多数いる。
【考案の開示】
【考案が解決しようとする課題】
【０００３】ホテルや各種施設は、大多数健常者を対象として作られているため、年配の方や障害をお持ちの方は手すり一つ無いため入浴を断念するといったケースがある。年配者や障害をお持ちの方でも、自分自身で自宅などと同様の手すり等の設備を簡易的に設置することが出来れば入浴などが不自由なく出来るはずである。しかし取り付け対象の浴室面や浴槽面が平らな場合は、従来からある吸盤式握り手で十分であるが、取り付け面が卵型の曲面のような場合は、従来の吸盤の位置が固定されている方式の握り手では、取り付け面に段差が生じ取り付けが出来ない。
【課題を解決するための手段】
【０００４】取り付け面が曲面の場合は、従来の吸盤固定式の方式では取り付けが出来ないが、本考案の握り手は、片方の吸盤をネジ込み式にしてあるため吸盤の高さ調整が可能で、高さ調整することで取り付け面が曲面の場合でも吸盤式握り手を取り付けることが可能になる。
【考案の効果】
【０００５】体を十分支えることが可能な本考案の吸盤式の握り手は、平らな浴室のタイル面や卵型の浴槽内でも簡単に装着・脱着が出来るので旅行先のホテルなどで手すりの設備が無いお風呂などでも安心して入浴が可能になる。また吸盤式握り手の最大の欠点である片側からの引きはがしの力にも、握り手の両側に吸盤があるため十分な強度を持たすことが可能である。
【考案を実施するための最良の形態】
【実施例】
【０００６】以下添付図面に従って実施例を説明する。図面１は握り手全体のイメージ図で、図面２は握り手を横から見た図、図面３は握り手を上から見た図、図４は浴槽面が平面の所に取りつけ、手で握ったイメージ図、図５は浴槽面が曲面の所に取りつけ、手で握ったイメージ図、図６は浴槽の壁面に２個取りつけ、両手で握った時のイメージ図である。一般的に浴室の壁はタイル面などで平面であるので両側の吸盤１、２の高さを同じにして握り手の吸盤部分を強く押し付け吸盤圧着レバー等を回転させしっかり圧着させる。浴槽面が卵型の面に付けるときは、浴槽面の曲面に合わせ片方の吸盤部２を回転させ、曲面の高さに合わせ吸盤１、２の高さ調整をすることで、握り手をしっかり固定させることが可能になる。両端の吸盤１、２が固定されることにより、吸盤式の最大の欠点である片側からの引きはがし力が吸盤にかかっても、容易に吸盤が取れることはない。
【図面の簡単な説明】
【０００７】
【図１】全体イメージ図
【図２】横から見た図
【図３】上から見た図
【図４】浴槽面が平面の所に取りつけ、手で握ったイメージ図
【図５】浴槽面が曲面の所に取りつけ、手で握ったイメージ図
【図６】浴槽に２個取り付け、両手で握ったイメージ図
【符号の説明】
【０００８】１  吸盤機構付き本体
２  吸盤１
３  吸盤２ネジ部
４  吸盤２
５  握り手部分
６  吸盤圧着レバー
７  浴室壁面
８  浴槽
Ａ  吸盤圧着レバー取り付け時の回転方向
【手続補正３】
【補正対象書類名】図面
【補正対象項目名】全図
【補正方法】変更
【補正の内容】
【図１】
0003151772.tif 000008
【図２】
0003151772.tif 000009
【図３】
0003151772.tif 000010
【図４】
0003151772.tif 000011
【図５】
0003151772.tif 000012
【図６】
0003151772.tif 000013